(57)【要約】【課題】使用者が横になっている状態から起き上がって歩き出そうとする時に、うまく踏み出して歩くことができるようにして、転倒を防止できる靴下を提供する。【解決手段】靴下１は、使用者の足Ｄの指を収容する足指覆い部２と、足底とかかとを覆う足底及びかかと覆い部３と、足甲を覆う足甲覆い部４と、足首を覆う足首覆い部５とを一体に有し足の圧迫を行う靴下であって、足底及びかかと覆い部３には、足Ｄの裏側であって、足Ｄの指の付け根部位の対応領域に、足Ｄの本体の長さ方向に関して足Ｄの裏側の収縮力を弱めるための伸縮力調整部１５０が、設けられている。【選択図】図１
2016069738.tif 000002
【特許請求の範囲】
【請求項１】
使用者の足の指を収容する足指覆い部と、足底とかかとを覆う足底及びかかと覆い部と、足甲を覆う足甲覆い部と、足首を覆う足首覆い部とを一体に有し前記足の圧迫を行う靴下であって、
前記足底及びかかと覆い部には、前記足の裏側であって、前記足の指の付け根部位の対応領域に、前記足の本体の長さ方向に関して前記足の裏側の収縮力を弱めるための伸縮力調整部が設けられている
ことを特徴とする靴下。
【請求項２】
前記伸縮力調整部は、前記足の第１足趾の付け根部位の対応領域に配置された第１伸縮力調整領域と、前記足の第２足趾から第５足趾の付け根部位の対応領域に配置された第２伸縮力調整領域とを有することを特徴とする請求項１に記載の靴下。
【請求項３】
第１伸縮力調整領域の幅は、第２伸縮力調整領域の幅と比べて、小さいことを特徴とする請求項２に記載の靴下。
【請求項４】
前記第２伸縮力調整領域の位置は、前記第１伸縮力調整領域の位置と前記足底及びかかと覆い部の幅方向に沿って部分的に重なっていることを特徴とする請求項２または３に記載の靴下。
【請求項５】
前記伸縮力調整部は、前記足の第１足趾から第５足趾の付け根部位の対応領域に配置された１つの伸縮力調整領域を備えることを特徴とする請求項１に記載の靴下。
【請求項６】
前記足底及びかかと覆い部の長さと前記足甲覆い部の長さは、タック編みでつまんで調整されていることを特徴とする請求項１乃至５のいずれかに記載の靴下。
【発明の詳細な説明】
【技術分野】
【０００１】
本発明は、特に病院等のベッド廻りで高齢者や身体の不自由な人のような使用者の転倒を防止する靴下に関する。
【背景技術】
【０００２】
高齢者等の使用者が履く靴下に類したものとしては、例えば高齢者が外反母趾の矯正をする目的で使用する外反母趾矯正用具が、特許文献１に提案されている。この外反母趾矯正用具は、親指を収容する外反母趾袋部と、他の指を収容する大袋部を有し、高齢者がこの外反母趾矯正用具を履くことにより、外反母趾矯正用具が苦痛等を与えることなく外反母趾を矯正して、外反母趾に起因する転倒の危険性を防止するようになっている。
【先行技術文献】
【特許文献】
【０００３】
【特許文献１】特開２００９−２７９３９９号公報
【発明の概要】
【発明が解決しようとする課題】
【０００４】
ところで、高齢者や身体の不自由な人等の使用者が、例えば病院等のベッドで横になったり睡眠をとっている場合には、ベッドに設けられた板状の規制部材を用いて使用者の足裏を支えることで、つま先が下がらないようにしている。
しかし、この使用者が、病院等のベッドに寝ていた状態から起き上がり立ち上がって歩き出そうとする場合に、使用者の足のつま先が下がってしまっていると、使用者はうまく踏み出して歩き出すことができずに転倒するおそれがあり、骨折等の負傷をしてしまうことがある。
【０００５】
あるいは、使用者である妊婦や高齢者は、血流が悪いと足のむくみや血栓が生じやすいことから、むくみや血栓を防止するために、圧迫力の強い靴下を履くことで血流を改善する場合がある。
ところが、このような構成であると、運動能力が一時的に劣り、あるいは弱くなってきている、妊婦や高齢者は圧迫力の強い靴下であると、装着時に履きにくく、しかも圧迫力の強い靴下だと、脱ぎにくい。このため、妊婦や高齢者にとっては、この種の靴下を履いたり脱いだりする時の身体的な負担が大きい。
【０００６】
そこで、本発明は、使用者が横になっている状態から起き上がって歩き出そうとする時に、うまく踏み出して歩くことができるようにして、転倒を防止できる靴下を提供することを目的とする。
【課題を解決するための手段】
【０００７】
本発明の靴下は、使用者の足の指を収容する足指覆い部と、足底とかかとを覆う足底及びかかと覆い部と、足甲を覆う足甲覆い部と、足首を覆う足首覆い部とを一体に有し前記足の圧迫を行う靴下であって、前記足底及びかかと覆い部には、前記足の裏側であって、前記足の指の付け根部位の対応領域に、前記足の本体の長さ方向に関して前記足の裏側の収縮力を弱めるための伸縮力調整部が設けられていることを特徴とする。
【０００８】
上記構成によれば、足底及びかかと覆い部には、足の裏側であって足の指の付け根部位の対応領域に、足の本体の長さ方向に関して足の裏側の収縮力を弱めるための伸縮力調整部が設けられているので、足底及びかかと覆い部では、足の裏側であって足の指の付け根部位の対応領域において、足指覆い部の表側の部分に比べて、引っ張り力を小さくすることができ、足のつま先が上がり過ぎることを防止することができる。従って、使用者が横になっている状態から起き上がって歩き出そうとする時に、うまく踏み出して歩くことができるようにして、転倒を防止できる。
【０００９】
好ましくは、前記伸縮力調整部は、前記足の第１足趾の付け根部位の対応領域に配置された第１伸縮力調整領域と、前記足の第２足趾から第５足趾の付け根部位の対応領域に配置された第２伸縮力調整領域とを備えていることを特徴とする。
上記構成によれば、足底及びかかと覆い部の第１伸縮力調整領域は、足の第１足趾の付け根部位に対応して足指覆い部の表側の部分に比べて、引っ張り力を小さくすることができ、足底及びかかと覆い部の第２伸縮力調整領域は、足の第２足趾から第５足趾の付け根部位に対応して足指覆い部の表側の部分に比べて、引っ張り力を小さくすることができるので、足のつま先が上がり過ぎることを防止することができる。
【００１０】
好ましくは、前記伸縮力調整部は、前記足の第１足趾から第５足趾の付け根部位の対応領域に配置された１つの伸縮力調整領域を備えていることを特徴とする。
上記構成によれば、足底及びかかと覆い部の１つの伸縮力調整領域である伸縮力調整部は、足の第１足趾から第５足趾の付け根部位に対応して足指覆い部の表側の部分に比べて、引っ張り力を小さくすることができるので、足のつま先が上がり過ぎることを防止することができる。
【００１１】
好ましくは、前記足底及びかかと覆い部の長さと前記足甲覆い部の長さは、タック編みでつまんで調整されていることを特徴とする。
上記構成によれば、底及びかかと覆い部の長さと足甲覆い部の長さの違いを調整する
ことができる。
【図面の簡単な説明】
【００１２】
【図１】本発明の靴下の好ましい第１実施形態の使用状態例を示す斜視図。
【図２】図１の靴下を示す側面図。
【図３】図３（Ａ）は、図１に示す靴下の上面を示し、図３（Ｂ）は、図１に示す靴下の下面を示す図。
【図４】図１の靴下の使用状態の例を示す図。
【図５】右足の裏側から見た筋肉の位置を示す図。
【図６】本発明の靴下の好ましい第２実施形態の使用状態例を示す斜視図。
【図７】図６の靴下を示す側面図。
【図８】図８（Ａ）は、図６に示す靴下の上面を示し、図８（Ｂ）は、図６に示す靴下の下面を示す図。
【発明を実施するための形態】
【００１３】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
（第１実施形態）
図１は、本発明の靴下の好ましい第１実施形態の使用状態例を示す斜視図であり、図１では、靴下１が使用者の足Ｄに装着された状態を示している。図２は、図１に示す靴下１の側面図である。図３（Ａ）は、図１に示す靴下１の上面を示し、図３（Ｂ）は、図１に示す靴下１の下面を示している。図２と図３では、靴下１には足Ｄが挿入されていない状態を示している。
図１から図３に示すこの靴下１は、右足用を代表して示しているが、左足用の靴下は右足用の靴下１と左右対称形状であり、実質的に同じであるので、以下では、図示した右足用の靴下１を、代表して説明する。
【００１４】
図１から図３に示す靴下１は、例えば病院等のベッド廻りで使用することに好適な靴下であり、使用者が靴下１を使用し易いように例えば丈の短いソックスタイプの靴下である。靴下１の使用者としては、好ましくは妊婦や高齢者あるいは身体の不自由な人である。使用者の足の血流が悪いと、足Ｄのむくみや浮腫、血栓が生じやすいことから、これらのむくみや浮腫、そして血栓を防止するために、この靴下１は、適度な圧迫力が設定されている。このように圧迫力が設定されている靴下１は、使用者の足の血流を改善することができ、しかも歩行時の転倒を防止できる構造を有する。
【００１５】
この靴下１は、装着者の足首や足そのものを締め付ける圧迫力を有してはいるが、妊婦や高齢者あるいは身体の不自由な人の使用者にとって履き易く、しかも靴下１を脱ぎ易くしており、使用者における靴下１の装着時の身体的な負担が小さい。
図１に示すように、靴下１は、使用者の足Ｄの全体と足首を覆う編地からなる。靴下１の編地は、例えば好ましくは、表側は、５３０デニール程度の繊維径の綿製、裏側（肌側）は、１６０デニール程度の繊維径で、弾性糸として機能する、ナイロンカバーがされたポリウレタン製である。この素材は、５３０デニールを越えると伸縮性がほぼなくなり、１６０デニールより小さいと強度が低下する。
【００１６】
図１と図２に示す靴下１の素材と形状は、素肌への刺激が少ないものとなるように考慮されている。この靴下１は、先端の足指覆い部２と、足Ｄの下側部分である足裏側の足底及びかかと領域を覆うための足底及びかかと覆い部３とを含んでおり、靴下１は、この足指覆い部２と、足底及びかかと覆い部３と、上側の足甲覆い部４と、足首覆い部５と、後覆い部分７とが一体的になるように編成されている。靴下１は、全体的に、少なくとも靴下に求められる伸縮性を有している。
【００１７】
図１から図３に示す足指覆い部２は、使用者の足先の第１足趾（親指、母趾）から第５足趾（小指）を収容する足袋状の部分である。図１と図３に示すように、足指覆い部２は、母趾袋部２Ａと大袋部２Ｂを有しており、母趾袋部２Ａと大袋部２Ｂは、分け目部分２Ｃにより区分されている。母趾袋部２Ａでは、その先端部２Ｇが袋状になって足の第１足趾（親指）を収容する。大袋部２Ｂでは、その先端部２Ｆが袋状になって足の第２足趾から第５足趾を収容する。
このように、足指覆い部２が母趾袋部２Ａと大袋部２Ｂに明確に区分され、足指覆い部２は足趾の伸展機能を有しているので、歩く際のバランス感覚が向上する。また、母趾袋部２Ａは、足の第１足趾を、第２足趾から第５足趾から離れた外側に向けることができ、足指覆い部２は第１足趾が第２足趾側に向くことを阻止して、外反母趾を有効に防止することができる。
【００１８】
図１と図２に示す足底及びかかと覆い部３は、足裏側の足底、及び略かかと領域迄を覆う部分である。足甲覆い部４は、使用者の足Ｄの甲部分を覆う部分である。足首覆い部５は、足首を覆う部分であり、足Ｄを通すための履き口部開口部６を有しており、足首覆い部５は、特に柔軟な布地でなり、足首の上方を筒状にソフトに締め付けて覆う部分である。この履き口部開口部６は、使用者の足Ｄを挿入するための開口部分である。
【００１９】
図１と図３に示すように、足底及びかかと覆い部３は、伸縮力調整部１５０を有している。
この伸縮力調整部１５０は、足底及びかかと覆い部３の領域内において、足Ｄの裏側であって、足Ｄの指の付け根部位の対応するように設けられている。伸縮力調整部１５０は、足Ｄの本体の長さ方向（前後方向）に関して足Ｄの裏側の収縮力（引っ張り力）を弱めるために設けられている。伸縮力調整部１５０はくぼみ部分ともいう。
【００２０】
図１と図３に示すように、好ましくは、この伸縮力調整部１５０は、第１伸縮力調整領域１５１と、第２伸縮力調整領域１５２と、を有している。
図３に示すように、第１伸縮力調整領域１５１は、足底及びかかと覆い部３の領域内において、足指覆い部２の母趾袋部２Ａに対応する領域であり、足Ｄの第１足趾の付け根部位の対応するように配置されている。
また、図３に示すように、第２伸縮力調整領域１５２は、足底及びかかと覆い部３の領域内において、足指覆い部２の大袋部２Ｂに対応する領域であり、足Ｄの第２足趾から第５足趾の付け根部位の対応するように配置されている。
このように、伸縮力調整部１５０として、第１伸縮力調整領域１５１と、第２伸縮力調整領域１５２と、を有するより、使用者が靴下１を履いたときに、母趾袋部２Ａ及び大袋部２Ｂのうちのどちらか一方の引っ張り力が強くなり、他方にゆとりができることがなく、ほぼ均等な状態にすることができる。
【００２１】
伸縮力調整部１５０の第１伸縮力調整領域１５１と第２伸縮力調整領域１５２は、靴下１の長手方向と幅方向のいずれにも伸びが可能なように、この領域だけ隣接する周囲領域と比較して、伸縮力が弱い布を編み込んで、たるませており、両脇をダーツで止めた、ほぼ袋状の部分である。つまり、この部分は、好ましくは長円または、長楕円形状になっている。伸縮力調整部１５０の第１伸縮力調整領域１５１と第２伸縮力調整領域１５２の各長手方向は、靴下１の幅方向に沿っている。伸縮力調整部１５０の第１伸縮力調整領域１５１と第２伸縮力調整領域１５２は、図１に示すように指をＲ方向に上げることができる程度の内部空間を有する。
【００２２】
図３（Ｂ）に示すように、第１伸縮力調整領域１５１の足趾側の端部と、足Ｄの第１足趾の付け根部位の位置との間隔Ｓ１は、第２伸縮力調整領域１５２の足趾側の端部と、足Ｄの第２足趾から第５足趾の付け根部位の位置との間隔Ｓ２に比べて、小さい。靴下１のサイズにもよるが、間隔Ｓ１は５〜４０ｍｍであり、間隔Ｓ２は２０〜６０ｍｍである。
また、図３（Ａ）に示すように、第１伸縮力調整領域１５１の幅Ｗ１は、足Ｄの第１足趾の付け根部位の幅とほぼ同じかそれよりも大きく設定されている。第２伸縮力調整領域１５２の幅Ｗ２は、足Ｄの第２足趾から第５足趾の付け根部位の幅とほぼ同じかそれよりも大きく設定されている。従って、第１伸縮力調整領域１５１の幅Ｗ１は、第２伸縮力調整領域１５２の幅Ｗ２と比べて、小さい。そして、靴下１のサイズにもよるが、幅Ｗ１は２０〜６０ｍｍであり、幅Ｗ２は３０〜７０ｍｍである。
図３に示す例では、第２伸縮力調整領域１５２の内側部分１５２Ａの位置は、第１伸縮力調整領域１５１の内側部分１５１Ａの位置と靴下１（足底及びかかと覆い部３）の幅方向に沿って部分的に重なっている。この重なりＷ３は、靴下１のサイズにもよるが、５〜３０ｍｍである。これにより、靴下１の幅方向に関して、伸縮力調整領域が形成されない部分が生じるのを防ぐことができる。なお、これら寸法は、靴下１の自然状態における実寸値である。
【００２３】
図５は、右足の裏側から見た筋肉の位置の例を示す図である。
図５では、足Ｄの母趾内転筋Ｍ１、Ｍ２や短母趾屈筋Ｎ等を示している。第２伸縮力調整領域１５２は、好ましくは、図５に示す足Ｄのほぼ幅方向に配置されている母趾内転筋Ｍ１の位置に合わせるようにして設けられている。これにより、第２伸縮力調整領域１５２は、遊び部分を作って、母趾内転筋Ｍ１を伸ばし易くでき、足Ｄの第１足趾から第５足趾、特に第１足趾（親指）を自然の形で伸ばして、足Ｄのつま先を少なくとも水平にもしくは上げる状態にすることができる。
【００２４】
伸縮力調整部１５０の第１伸縮力調整領域１５１と第２伸縮力調整領域１５２は、例えばあぜ編みにより作られており、靴下１を履くと、足の裏側であって、袋状に余裕を持たせた形状になっていることで、足底及びかかと覆い部３において、足Ｄの指先の下側領域に余裕（遊び）を持たせている。
なお、好ましくは、伸縮力調整部１５０の色と、足指覆い部２や足底及びかかと覆い部３の色とは、異なるようにすれば、伸縮力調整部１５０の第１伸縮力調整領域１５１と第２伸縮力調整領域１５２が設けられていることと、の第１伸縮力調整領域１５１と第２伸縮力調整領域１５２の配置位置が、使用者に明確に判るメリットがある。
【００２５】
図１から図３に示すように、伸縮力調整部１５０の第１伸縮力調整領域１５１と第２伸縮力調整領域１５２が、足Ｄの裏側で、足底及びかかと覆い部３において設けられているのは、次の理由からである。この伸縮力調整部１５０の第１伸縮力調整領域１５１と第２伸縮力調整領域１５２が設けられていることで、図１に示す足Ｄの裏側であって、足底及びかかと覆い部３において引っ張り力が低減できる。このようにすることで、足Ｄの指の上側の部位に面する部分２Ｔの引っ張り力が、足Ｄの裏側であって、足底及びかかと覆い部３における足Ｄの指の付け根部位の対応領域での引っ張り力に比べて、上回ることになる。
【００２６】
このように、足Ｄの指の上側の部位に面する部分２Ｔの引っ張り力が、足Ｄの裏側であって、足底及びかかと覆い部３において、足Ｄの指の付け根部位の対応領域での引っ張り力に比べて、上回ることから、足指覆い部２は、足Ｄのつま先を、図１に示すＲ方向に容易に持ち上げることができる。靴下１の足指覆い部２では、足Ｄのつま先をＲ方向に容易に持ち上げてつま先を上げた状態を保持できるので、妊婦や高齢者あるいは身体の不自由な人が、例えば病院等のベッドにおいて横になっている状態から起き上がって、足を床に着けた後、うまく踏み出して歩き出すことができ、使用者は病院等のベッド廻りであっても、歩き易くなり、使用者の転倒を防止できる。
【００２７】
次に、図１と図２と図３（Ｂ）を参照して、靴下１の足底及びかかと覆い部３について説明する。
図１と図２に示すように、足底及びかかと覆い部３は、伸縮力調整部１５０の後端部から、後覆い部分７にかけて連続して編成されている。足底及びかかと覆い部３は、足底部分３Ａとかかと部分３Ｂを有している。足底部分３Ａは足底を覆い、かかと部分３Ｂはかかとを覆う。足指覆い部２と足底及びかかと覆い部３は、例えば厚みのある生地でソフトな感触をえられるようにされた構造であり、好ましくは、例えば、あぜ編みにより編成されている。このように、足指覆い部２と伸縮力調整部１５０と足底及びかかと覆い部３が、あぜ編みにより編成されていることにより、足裏（足底）とかかとを収容して覆う際に、十分に柔軟性をもって使用者が楽にこの部分を伸ばすことができ、しかも足裏とかかとを保温することができる。
【００２８】
一方、図１と図３（Ａ）に示す靴下１の足甲覆い部４は、足指覆い部２の表端部２Ｋから足首覆い部５の間において、連続して編成されている。この足甲覆い部４は、前側部分４Ａと後側部分４Ｂを有している。前側部分４Ａは、足指覆い部２と後側部分４Ｂの間に配置され、後側部分４Ｂは、前側部分４Ａと足首覆い部５の間に配置されている。
足甲覆い部４は、足底及びかかと覆い部３と足指覆い部２のあぜ編みに比べて伸びにくく引張力が強くなるように、好ましくは、例えばタック（重ね）編みにより編成されている。すなわち、足甲覆い部４の編成部分の引張力は、足指覆い部２と足底及びかかと覆い部３の編成部分の引張力に比べて大きく（強く）なるように設定されている。これにより、足Ｄには適切な圧迫力を加えることができる。
【００２９】
このように、足甲覆い部４は、足底及びかかと覆い部３とは異なり、タック（重ね）編みにより編成されているので、使用者が足を靴下１内に収容した際に、足甲覆い部４の領域を強く引くことで、図１に示すように、足指覆い部２内の第１足趾から第５足趾を、強い力で図１に示すＲ方向（上方向）に引き上げることができる機能を有する。
【００３０】
そして、すでに説明したように、伸縮力調整部１５０の第１伸縮力調整領域１５１と第２伸縮力調整領域１５２が、足Ｄの裏側で、足底及びかかと覆い部３において設けられているので、足の指の上側の部位に面する部分２Ｔの引っ張り力が、足の裏側であって、足の指の付け根部位に沿った領域２Ｓの引っ張り力に比べて上回ることから、足指覆い部２は、足Ｄのつま先を、図１に示すＲ方向に持ち上げることができる。
【００３１】
以上のことから、図１から図３に示す靴下１は、使用者の第１足趾から第５足趾の先端（つま先）はＲ方向（上向き）に容易に引き上げることができるので、使用者が横になった状態から起き上がって歩き出そうとする場合や、椅子に座った状態から立ち上がって歩き出そうとする場合に、使用者が容易に歩き出すことができるので、使用者の転倒を防止することができる。
【００３２】
また、図２と図３（Ｂ）に示すように、足底及びかかと覆い部３の長さと足甲覆い部４の前側部分４Ａの長さの差は、好ましくはタック編み部分１７０でつまんで調整されている。すなわち、足底及びかかと覆い部３の靴下１の全長方向の長さは、足甲覆い部４の前側部分４Ａの靴下１の全長方向の長さに比べて長いので、タック編み部分１７０がこれらの長さの差を調整している。これにより、足底及びかかと覆い部３の長さを確保している。
【００３３】
次に、靴下１の後覆い部分７を説明する。
図１と図３（Ｂ）に示すように、靴下１の後覆い部分７は、タック編み部分７Ａと、あぜ編み部７Ｂを有している。タック編み部分７Ａは、足甲覆い部４の後側部分４Ｂの後ろ側に連続して形成されている。あぜ編み部７Ｂは、タック編み部分７Ａの中央位置に形成されている。靴下１に足Ｄを収容する際に、靴下１は、あぜ編み部７Ｂにより、十分に伸縮性，柔軟性をもって伸ばすことができ、タック編み部７Ａは、足Ｄに対して靴下１をしっかりと装着することができる機能を有する。このため、装着後に靴下１がズレ落ちることなくしっかり固定できる。
【００３４】
次に、足首覆い部５について説明する。
図１と図３に示すように、足首覆い部５は、履き口部１１を有している。履き口部１１は、特に柔軟な布地でなり、足首の上方を筒状にソフトに締め付けて覆う部分である。履き口部１１の上部には、履き口部開口部６が形成されており、この履き口部開口部６は、使用者の足Ｄを挿入するための開口部分である。足首覆い部５は、足首の周りでしっかり足首周りを引き締めつつ、その上の部分は履き口部開口部６付近でソフトに覆い、使用者に着用中の不快な感触や負担をかけないで、かつズレ落ちることがない。
【００３５】
次に、上述した本発明の実施形態の靴下１の使用例を、図１から図４を参照して説明する。図４は、靴下１の使用状態例を示す図である。
図１に示すように、使用者は、図２に示す靴下１の履き口部１１を指で持って、図４に示す足Ｄのつま先Ｖを、靴下１の履き口部開口部６から中に入れて、靴下１をＭ方向に引き上げる。これにより、図１と図４に示すように、靴下１は、足Ｄを覆う。
このようにして、図４に示すように、使用者は足Ｄに靴下１を履いた状態では、足指覆い部２は、足Ｄのつま先Ｖを収容することで、使用者のつま先Ｖの第１足趾（親指、母趾）から第５足趾（小指）を収容する。足底及びかかと覆い部３は、使用者の足の足底とかかとを覆う。足甲覆い部４は、使用者の足の甲部分を覆う。足首覆い部５は、足首の下側を筒状にソフトに締め付けて覆う。
【００３６】
使用者が靴下１を履くと、図１と図３に示すように、伸縮力調整部１５０の第１伸縮力調整領域１５１と第２伸縮力調整領域１５２が、足Ｄの裏側で、足底及びかかと覆い部３において設けられているので、足Ｄの裏側であって、足Ｄの指の付け根部位に沿った領域２Ｓでは引っ張り力が低減できる。このため、足Ｄの指の上側の部位に面する部分２Ｔの引っ張り力が、足の裏側であって、足の指の付け根部位に沿った領域２Ｓの引っ張り力に比べて上回る。この状態で、図４（Ａ）に示すように、使用者ＭＮは、例えばベッドＢＤにおいて横になって過ごしたり、睡眠をとることができる。
このように、靴下１に足Ｄが挿入されている状態で、使用者が横になっていても、比較的ゆるい力で、つま先ＶをＲ方向に持ち上げた状態を維持することができ、つま先Ｖを上げた状態を保持しながらも、足Ｄのむくみを感じることがなく、使用者はゆっくりくつろいだり、睡眠をとることができる。
【００３７】
これに対して、図４（Ｂ）に示すように、使用者が横になった状態から起き上がりスムーズに立ち上がって、歩き出そうとする場合には、使用者は靴下１によりつま先ＶをＲ方向に持ち上げた状態であるので、使用者は、つま先Ｖを地面に力を加えながら歩くことが可能になり、転倒を防止することができる。このように、伸縮力調整部１５０の第１伸縮力調整領域１５１と第２伸縮力調整領域１５２が、図３（Ｂ）に示す足Ｄの裏側で、足底及びかかと覆い部３において設けられているので、図３（Ａ）に示す足Ｄの指の上側の部位に面する部分２Ｔの引っ張り力が、図３（Ｂ）に示す足Ｄの裏側であって、足Ｄの指の付け根部位に沿った領域２Ｓの引っ張り力に比べて上回ることから、足指覆い部２は、足Ｄのつま先Ｖを、Ｒ方向に持ち上げることができる。
【００３８】
これにより、靴下１はつま先Ｖを図１と図４に示すＲ方向に持ち上げて、しかもこの持ち上げた状態を保持できるので、妊婦や高齢者あるいは体の不自由な人は歩き出し易くなり、使用者の転倒を防止できる。また、使用者がくつ下１を履くことにより、つま先ＶをＲ方向に持ち上げて、腓腹筋を動かすので、血流が改善できる。
【００３９】
（第２実施形態）
次に、本発明の靴下の第２実施形態を、図６から図８を参照して説明する。
なお、図６から図８に示す第２実施形態の靴下１Ａが、上述した第１実施形態の靴下１と同様の箇所には同じ符号を記して、その説明を用いる。
図６は、本発明の靴下の好ましい第２実施形態の使用状態例を示す斜視図であり、図７は、図６の靴下１Ａを示す側面図である。図８（Ａ）は、図６に示す靴下１Ａの上面を示し、図８（Ｂ）は、図６に示す靴下１Ａの下面を示している。
【００４０】
図１から図３に示す第１実施形態の靴下１と、図６から図８に示す第２実施形態の靴下１Ａと比較して異なるのは、第１実施形態の靴下１では、伸縮力調整部１５０が、複数の調整領域である第１伸縮力調整領域１５１と第２伸縮力調整領域１５２により構成されているのに対して、第２実施形態の靴下１Ａでは、伸縮力調整部２５０は、１つの調整領域だけで構成されていることである。
この伸縮力調整部２５０は、足底及びかかと覆い部３において、足Ｄの裏側であって、足Ｄの第１足趾から第５足趾の付け根部位の対応領域に対応するように設けられている。伸縮力調整部２５０は、足Ｄの本体の長さ方向に関して足Ｄの裏側の収縮力を弱めるために設けられている。伸縮力調整部２５０はくぼみ部分ともいう。伸縮力調整部２５０は、足裏の横方向（幅方向）に沿って長い、好ましくは長円または、長楕円形状になっている。伸縮力調整部２５０の足趾側の端部と、足Ｄの第１足趾の付け根部位の位置との間隔Ｓ３は、５〜５０ｍｍである。なお、この寸法は、靴下１の自然状態における実寸値である。
【００４１】
使用者が靴下１Ａを履くと、伸縮力調整部２５０が、足Ｄの裏側で、足底及びかかと覆い部３において設けられているので、図８（Ｂ）に示す足Ｄの裏側であって、足Ｄの指の付け根部位に沿った領域２Ｓでは引っ張り力が低減できる。このため、図８（Ａ）に示す足Ｄの指の上側の部位に面する部分２Ｔの引っ張り力が、図８（Ｂ）に示す足Ｄの裏側であって、足の指の付け根部位に沿った領域２Ｓの引っ張り力に比べて上回る。この状態で、使用者は、例えばベッドにおいて横になって過ごしたり、睡眠をとることができる。
このように、靴下１Ａに足Ｄが挿入されている状態で、使用者が横になっていても、比較的ゆるい力で、つま先をＲ方向に持ち上げた状態を維持することができ、つま先を上げた状態を保持しながらも、足Ｄのむくみを感じることがなく、使用者はゆっくりくつろいだり、睡眠をとることができる。
【００４２】
これに対して、使用者が横になった状態から起き上がりスムーズに立ち上がって、歩き出そうとする場合には、使用者は靴下１Ａによりつま先をＲ方向に持ち上げた状態であるので、使用者は、つま先を地面に力を加えながら歩くことが可能になり、転倒を防止することができる。このように、足Ｄの指の上側の部位に面する部分２Ｔの引っ張り力が、足の裏側であって、足の指の付け根部位に沿った領域２Ｓの引っ張り力に比べて上回ることから、足指覆い部２は、足Ｄのつま先を、Ｒ方向に持ち上げることができる。
これにより、靴下１Ａはつま先を図６に示すＲ方向に持ち上げて、しかもこの持ち上げた状態を保持できるので、妊婦や高齢者あるいは体の不自由な人は歩き出し易くなり、使用者の転倒を防止できる。また、使用者がくつ下１Ａを履くことにより、つま先ＶをＲ方向に持ち上げて、腓腹筋を動かすので、足の血流が改善できる。
【００４３】
本発明の実施形態の靴下１（１Ａ）は、靴下は、使用者の足の指を収容する足指覆い部と、足底とかかとを覆う足底及びかかと覆い部と、足甲を覆う足甲覆い部と、足首を覆う足首覆い部とを一体に有し足の圧迫を行う靴下であって、足底及びかかと覆い部には、足の裏側であって、足の指の付け根部位の対応領域に、足の本体の長さ方向に関して足の裏側の収縮力を弱めるための伸縮力調整部が、設けられている。
これにより、足底及びかかと覆い部には、足の裏側であって足の指の付け根部位の対応領域に、足の本体の長さ方向に関して足の裏側の収縮力を弱めるための伸縮力調整部が設けられているので、足の裏側であって足の指の付け根部位の対応領域において、足指覆い部の表側の部分に比べて、引っ張り力を小さくすることができ、足のつま先が上がり過ぎることを防止することができる。従って、使用者が横になっている状態から起き上がって歩き出そうとする時に、うまく踏み出して歩くことができるようにして、転倒を防止できる。
【００４４】
伸縮力調整部１５０は、足の第１足趾の付け根部位の対応領域に配置された第１伸縮力調整領域１５１と、足の第２足趾から第５足趾の付け根部位の対応領域に配置された第２伸縮力調整領域１５２と、により構成されている。
これにより、足底及びかかと覆い部の第１伸縮力調整領域１５１は、足の第１足趾の付け根部位に対応して足指覆い部の表側の部分に比べて、引っ張り力を小さくすることができ、足底及びかかと覆い部の第２伸縮力調整領域１５２は、足の第２足趾から第５足趾の付け根部位に対応して足指覆い部の表側の部分に比べて、引っ張り力を小さくすることができるので、足のつま先が上がり過ぎることを防止することができる。
【００４５】
伸縮力調整部２５０は、足の第１足趾から第５足趾の付け根部位の対応領域に配置された１つの伸縮力調整領域により構成されている。これにより、足底及びかかと覆い部の１つの伸縮力調整領域である伸縮力調整部２５０は、足の第１足趾から第５足趾の付け根部位に対応して足指覆い部の表側の部分に比べて、引っ張り力を小さくすることができるので、足のつま先が上がり過ぎることを防止することができる。
【００４６】
足底及びかかと覆い部の長さと足甲覆い部の長さは、タック編みでつまんで調整されていることを特徴とする。
上記構成によれば、底及びかかと覆い部の長さと足甲覆い部の長さの違いを調整する
ことができる。
【００４７】
ところで、本発明は上記実施形態に限定されず、本発明は様々な修正と変更が可能であり、特許請求の範囲に記載された範囲で種々の変形が可能である。
本発明は、上述の実施形態の一部の構成は省略することができるし、言及しない他の構成と適宜組み合わせて実施することができる。
上述した本発明の第１実施形態の靴下１では、伸縮力調整部１５０が第１伸縮力調整領域１５１と第２伸縮力調整領域１５２により構成され、第２実施形態の靴下１Ａは、伸縮力調整部２５０により構成され、各伸縮力調整部１５０，２５０は、靴下１（１Ａ）の長手方向と幅方向のいずれにも伸びが可能なように、この領域だけ余分な布を編み込んで、両脇をダーツで止めた、ほぼ袋状の部分である。しかし、伸縮力調整部１５０，２５０は、袋状の部分に代えて穴を形成することで設けるようにしても良い。
【００４８】
靴下１００の材質は綿製に限らず、例えば綿、ナイロン（登録商標）、ポリウレタンの混紡等であっても良い。本発明の実施形態の靴下は、使用者が靴下１を使用し易いように例えば丈の短いソックスタイプの靴下であるが、丈の長い靴下であっても良い。
【符号の説明】
【００４９】
１Ａ・・・靴下、２・・・足指覆い部、３・・・足底及びかかと覆い部、４・・・足甲覆い部、５・・・足首覆い部、６・・・履き口部開口部、１５０・・・伸縮力調整部、１５１・・・第１伸縮力調整領域、１５２・・・第２伸縮力調整領域、２５０・・・伸縮力調整部、Ｄ・・・使用者の足
【図１】
2016069738.tif 000003
【図２】
2016069738.tif 000004
【図３】
2016069738.tif 000005
【図４】
2016069738.tif 000006
【図５】
2016069738.tif 000007
【図６】
2016069738.tif 000008
【図７】
2016069738.tif 000009
【図８】
2016069738.tif 000010